【手続補正書】
【提出日】平成24年8月21日(2012.8.21)
【手続補正１】
【補正対象書類名】特許請求の範囲
【補正対象項目名】全文
【補正方法】変更
【補正の内容】
【特許請求の範囲】
【請求項１】
異なる地理的位置に関連するオブジェクトに対する地震によって生じる影響又は損害を決定する地震損害予測及び回避システムであって、
当該システムは、複数のネットワークユニットの地震関連データを選択及び収集するフィルタモジュールと、前記フィルタモジュールが前記ネットワークユニットの少なくとも１つにアクセスするためのネットワークインタフェースモジュールとを備えた中央ユニットを有し、
当該システムは、格子状の制御された地震検出センタを構築するよう分散配置される早期警告手段を有し、前記早期警告手段の送信信号に基づき前記地理的位置が決定され、
当該システムは、前記異なる地理的位置の地理的及び／又は地形的データ座標を格納する第１データ構造を有する少なくとも１つの影響レシオテーブルを格納する手段を有し、
当該システムは、震源／震央からの前記地理的位置の幾何学的距離を生成する座標プロセッサを備えた強度計算モジュールを有し、
前記強度計算モジュールは、可変的な重みパラメータからなる格納されたパラメータ処理を用いて、前記生成された幾何学的距離と与えられた地震マグニチュードとに基づきローカル強度値を生成する伝搬計算ユニットを有し、前記影響レシオテーブルの第２データ構造を用いて、前記対応する地理的位置に割り当てられた前記生成された幾何学的距離が格納され、
当該システムは、複数のユーザから、前記可変的な重みパラメータ、前記オブジェクトに対して地震により生じる影響又は損害を示す異なる地震強度レベルの少なくとも１つの影響レシオ、及び／又は前記オブジェクトの地震を受けた構造を規定する少なくとも１つのオブジェクトパラメータの少なくとも１つを受信するユーザインタフェースを有し、
当該システムは、各ケースにおいて前記影響レシオテーブルから前記各地理的位置におけるローカル強度の影響レシオを決定し、各ケースにおいて前記各地理的位置に割り当てられた重み係数により重み付けされた前記影響レシオを加算することによって、前記地理的位置に対して影響インデックスを生成するインデックス計算モジュールを有し、前記インデックス計算モジュールは、前記可変的な重みパラメータ、生成された影響レシオ及び／又は前記複数のユーザにより受信されたものに基づくオブジェクトパラメータを重み付けする手段を有し、
当該システムは、自動アラームシステム及び／又は損害介入装置を起動するための電気刺激パルスを生成及び送信するアラーム手段を有し、前記起動は、トリガ機能を用いて前記影響インデックスと規定可能な閾値とを比較し、前記影響インデックスが前記閾値を超える場合、前記起動を実行することによって、当該システムの規定可能な閾値に限定されるシステム。
【請求項２】
前記自動アラームシステムは、状態遷移を可能にするネットワークインタフェースを介し当該システムの前記中央ユニットによりアクセス可能及び実行可能である、請求項１記載のシステム。
【請求項３】
前記起動は、当該システムの規定可能な閾値に限定され、
前記閾値は、前記自動アラームシステム及び／又は損害介入装置に対して高い電気刺激パルスを変更する、請求項１又は２記載のシステム。
【請求項４】
当該システムは、早期警告手段を有し、
前記地理的位置は、前記早期警告手段の送信信号に基づき決定される、請求項１乃至３何れか一項記載のシステム。
【請求項５】
前記早期警告手段は、格子状の制御された地震検出センタを構成するよう分散配置される、請求項４記載のシステム。
【請求項６】
前記早期警告手段は、ラドンの放出を検出するセンサ、地震電気信号を検出するため地中に挿入された導体の金属ロッドの遠隔測定ネットワーク、地震の前震を測定する地震センサ、及び／又は小さなマグニチュードの地震に基づき大きなマグニチュードの地震のローカル強度値を生成する伝搬計算ユニットへの入力値及び初期的パラメータとして用いられる小さなマグニチュードの地震の履歴データを有する履歴モジュールを有する、請求項１又は５記載のシステム。
【請求項７】
前記重み係数は、前記地理的位置に関連する名目値に基づき、
前記重み係数により重み付けされる影響レシオは、各ケースにおいて地理的位置における名目損失を示し、
前記影響インデックスは、トータルの名目イベント損失を示し、
前記インデックス計算モジュールはさらに、最小トータル名目イベント損失を超えるが、最大トータル名目イベント損失を超えないイベント損失と前記最小トータル名目イベント損失と最大トータル名目イベント損失との差分とのレシオとして、イベント損失係数を生成する手段を有する、請求項１乃至６何れか一項記載のシステム。
【請求項８】
当該システムは、オブジェクト又はオブジェクトのポートフォリオのカバレッジ額を含むポートフォリオデータストアを有し、
当該システムはさらに、前記イベント損失係数と前記カバレッジ額とを乗算することによって払戻額を生成する払戻モジュールを有する、請求項１乃至７何れか一項記載のシステム。
【請求項９】
前記ユーザインタフェースはさらに、前記複数のユーザから、異なる地震強度レベルに対する前記影響レシオ、前記地理的位置に割り当てられた重み係数、及び式を規定するためのパラメータ及び数学演算の少なくとも１つを受信する手段を有する、請求項１乃至８何れか一項記載のシステム。
【請求項１０】
前記可変的な重みパラメータ、生成された影響レシオ及び／又は前記複数のユーザにより受信されたパラメータに基づくオブジェクトパラメータの重み付けは、当該システムにより動的に実行される、請求項１乃至９何れか一項記載のシステム。
【請求項１１】
異なる地理的位置に関連するオブジェクト又は価値のポートフォリオに対する地震によって生じる影響又は損害を示す影響インデックスを決定する地震損害予測及び回避方法であって、
地震損害予測システムの中央ユニットは、フィルタモジュールを用いて複数のネットワークユニットの地震関連データを選択及び収集し、ネットワークインタフェースモジュールを用いて前記フィルタモジュールにより前記ネットワークユニットの少なくとも１つにアクセスし、
格子状の制御された地震検出センタが、分散配置される早期警告手段を用いて構築され、前記早期警告手段の送信信号に基づき前記地理的位置が決定され、
地理的位置に対して、地震の震源からの前記地理的位置の与えられた距離と、前記地震の与えられた地震マグニチュードとに基づきローカル地震強度を計算するため規定される式を格納するステップと、
前記地理的位置に対して、各ケースにおいて異なる地震強度レベルの影響レシオを規定する少なくとも１つの影響レシオテーブルを格納するステップと、
各地理的位置と前記各地理的位置に割り当てられた各重み係数とを有するポートフォリオデータを格納するステップと、
地震イベントの震源からの前記地理的位置の幾何学的距離を計算するステップと、
各ケースにおいて前記地震イベントのマグニチュードと前記震源からの前記各地理的位置の幾何学的距離とに前記式を適用することによって前記地理的位置のローカル強度値を計算するステップと、
各ケースにおいて前記影響レシオテーブルから前記各地理的位置におけるローカル強度の影響レシオを決定し、各ケースにおいて前記各地理的位置に割り当てられた重み係数により重み付けされた影響レシオを加算することによって、前記地理的位置の影響インデックスを計算するステップと、
アラーム手段を用いて、自動アラームシステム及び／又は損害介入装置を起動するための電気刺激パルスを生成及び送信するステップであって、前記起動は、トリガ機能を用いて前記影響インデックスと規定可能な閾値とを比較し、前記影響インデックスが前記閾値を超える場合、前記起動を実行することによって、当該システムの規定可能な閾値に限定される、前記生成及び送信するステップと、
を有する方法。
【請求項１２】
前記重み係数は、各ケースにおいて前記地理的位置に関連する名目値を示し、
前記重み係数により重み付けされる影響レシオは、各ケースにおいて地理的位置における名目損失を示し、
前記影響インデックスは、トータルの名目イベント損失を示し、
当該方法はさらに、
ポートフォリオに対して、最小トータル名目イベント損失と最大トータル名目イベント損失とを格納するステップと、
最小トータル名目イベント損失を超えるが、最大トータル名目イベント損失を超えないイベント損失と前記最小トータル名目イベント損失と最大トータル名目イベント損失との差分とのレシオとして、イベント損失係数を計算するステップと、
を有する、請求項１１記載の方法。
【請求項１３】
当該方法はさらに、
ポートフォリオのカバレッジ額を格納するステップと、
前記イベント損失係数と前記カバレッジ額とを乗算することによって払戻額を計算するステップと、
を有する、請求項１２記載の方法。
【請求項１４】
当該方法はさらに、ユーザから、異なる地震強度レベルに対する前記影響レシオ、前記地理的位置に割り当てられた重み係数、及び式を規定するためのパラメータ及び数学演算の少なくとも１つを受信するステップを有する、請求項１１乃至１３何れか一項記載の方法。